(57)【要約】【課題】簡素な構成で冷却ファンが劣化しているか否かを正確に判定する。【解決手段】デジタル放送受信機のＲＡＭ１２は、機能的に、初期状態の冷却ファンの回転速度である基準回転速度Ｒ０を予め格納する基準速度記憶部１２１を備え、ＭＰＵ１１は、機能的に、冷却ファンの回転速度を検出する回転速度検出部１１２と、回転速度検出部１１２によって検出された回転速度ＲＢの、基準速度記憶部１２１に格納された基準回転速度Ｒ０に対する比率Ｒが予め設定された所定の閾値ＳＨ以下であるか否かを判定し、所定の閾値ＳＨ以下である場合に、冷却ファンが劣化していると判定する劣化判定部１１３と、を備えている。【選択図】図４
2008311271.tif 000002
【特許請求の範囲】
【請求項１】
モータを介して駆動される冷却ファンを制御する冷却ファン制御装置であって、
冷却ファンの回転速度を検出する回転速度検出手段と、
前記回転速度検出手段によって検出された初期状態の冷却ファンの回転速度である基準回転速度を予め格納する基準速度記憶手段と、
前記回転速度検出手段によって検出された回転速度の、前記基準速度記憶手段に格納された基準回転速度に対する比率が予め設定された所定の閾値以下であるか否かを判定し、所定の閾値以下である場合に、冷却ファンが劣化していると判定する劣化判定手段と、
を備えることを特徴とする冷却ファン制御装置。
【請求項２】
前記回転速度検出手段は、冷却ファンの羽部に対向して配設されたフォトセンサを備え、該フォトセンサを介して冷却ファンの回転速度を検出することを特徴とする請求項１に記載の冷却ファン制御装置。
【請求項３】
前記フォトセンサは、透過型のフォトセンサであることを特徴とする請求項２に記載の冷却ファン制御装置。
【請求項４】
冷却ファンの回転速度を、予め設定された２以上の所定数の回転速度の中から、予め設定された所定のルールに則って選択された１の回転速度に設定する回転速度設定手段と、
前記所定数の回転速度にそれぞれ対応する閾値を予め格納する閾値記憶手段と、
を備え、
前記基準速度記憶手段は、前記所定数の回転速度にそれぞれ対応する基準回転速度を予め格納し、
前記劣化判定手段は、前記回転速度検出手段によって検出された回転速度の、前記基準速度記憶手段に格納され、前記回転速度設定手段によって設定された回転速度に対応する基準回転速度に対する比率が、前記閾値記憶手段に格納され、前記回転速度設定手段によって設定された回転速度に対応する閾値以下である場合に、冷却ファンが劣化していると判定することを特徴とする請求項１〜請求項３のいずれかに記載の冷却ファン制御装置。
【請求項５】
外部から視認可能に文字情報を表示するモニタと通信可能に接続され、
前記劣化判定手段によって、冷却ファンが劣化していると判定された場合に、前記モニタに冷却ファンが劣化している旨の文字情報を表示する劣化表示手段を備えることを特徴とする請求項１〜請求項４のいずれかに記載の冷却ファン制御装置。
【請求項６】
テレビジョン放送を受信し、モニタに表示可能に構成された放送受信装置であって、
モータを介して駆動される冷却ファンと、
請求項１〜請求項５のいずれかに記載の冷却ファン制御装置と、
を備えることを特徴とする放送受信装置。
【発明の詳細な説明】
【技術分野】
【０００１】
本発明は、モータを介して駆動される冷却ファンを制御する冷却ファン制御装置、及び、テレビジョン放送を受信し、モニタに表示可能に構成された放送受信装置に関する。
【背景技術】
【０００２】
従来、ＰＤＰ（Ｐｌａｓｍａ  Ｄｉｓｐｌａｙ  Ｐａｎｅｌ）等のモニタを備えた放送受信装置では、モニタ等の発熱によって装置本体内部の温度が上昇し易いため、装置本体内部の温度上昇を防止する目的で、冷却ファンが配設されている。
【０００３】
例えば、装置本体内部の温度を冷却するための冷却ファン、装置本体内部の温度を検出するための温度検出器、再生されている放送内容がコマーシャルであるか番組であるかを判別するための番組・コマーシャル判別手段、並びに番組・コマーシャル判別手段の判別結果と温度検出器の検出温度とに基づいて、冷却ファンの回転数を制御するための制御手段を備えたテレビジョン受像機が開示されている（特許文献１参照）。
【特許文献１】特開２００６−２８７７７７号公報
【発明の開示】
【発明が解決しようとする課題】
【０００４】
しかしながら、上記テレビジョン受像機等の放送受信装置では、装置本体の寿命よりも冷却ファンの寿命のほうが短い場合があり、このような場合には、冷却ファンが寿命に達して故障し、装置本体内部の温度が上昇して、他の部品も故障してしまう虞がある。
【０００５】
本発明は、上記課題に鑑みてなされたものであって、簡素な構成で冷却ファンが劣化しているか否かを正確に判定することが可能な冷却ファン制御装置を提供することを目的としている。
【課題を解決するための手段】
【０００６】
上記目的を達成するために請求項１に記載の冷却ファン制御装置は、モータを介して駆動される冷却ファンを制御する冷却ファン制御装置であって、冷却ファンの回転速度を検出する回転速度検出手段と、前記回転速度検出手段によって検出された初期状態の冷却ファンの回転速度である基準回転速度を予め格納する基準速度記憶手段と、前記回転速度検出手段によって検出された回転速度の、前記基準速度記憶手段に格納された基準回転速度に対する比率が予め設定された所定の閾値以下であるか否かを判定し、所定の閾値以下である場合に、冷却ファンが劣化していると判定する劣化判定手段と、を備えることを特徴としている。
【０００７】
請求項２に記載の冷却ファン制御装置は、請求項１に記載の冷却ファン制御装置であって、前記回転速度検出手段が、冷却ファンの羽部に対向して配設されたフォトセンサを備え、該フォトセンサを介して冷却ファンの回転速度を検出することを特徴としている。
【０００８】
請求項３に記載の冷却ファン制御装置は、請求項２に記載の冷却ファン制御装置であって、前記フォトセンサが、透過型のフォトセンサであることを特徴としている。
【０００９】
請求項４に記載の冷却ファン制御装置は、請求項１〜請求項３のいずれかに記載の冷却ファン制御装置であって、冷却ファンの回転速度を、予め設定された２以上の所定数の回転速度の中から、予め設定された所定のルールに則って選択された１の回転速度に設定する回転速度設定手段と、前記所定数の回転速度にそれぞれ対応する閾値を予め格納する閾値記憶手段と、を備え、前記基準速度記憶手段が、前記所定数の回転速度にそれぞれ対応する基準回転速度を予め格納し、前記劣化判定手段が、前記回転速度検出手段によって検出された回転速度の、前記基準速度記憶手段に格納され、前記回転速度設定手段によって設定された回転速度に対応する基準回転速度に対する比率が、前記閾値記憶手段に格納され、前記回転速度設定手段によって設定された回転速度に対応する閾値以下である場合に、冷却ファンが劣化していると判定することを特徴としている。
【００１０】
請求項５に記載の冷却ファン制御装置は、請求項１〜請求項４のいずれかに記載の冷却ファン制御装置であって、外部から視認可能に文字情報を表示するモニタと通信可能に接続され、前記劣化判定手段によって、冷却ファンが劣化していると判定された場合に、前記モニタに冷却ファンが劣化している旨の文字情報を表示する劣化表示手段を備えることを特徴としている。
【００１１】
請求項６に記載の放送受信装置は、テレビジョン放送を受信し、モニタに表示可能に構成された放送受信装置であって、モータを介して駆動される冷却ファンと、請求項１〜請求項５のいずれかに記載の冷却ファン制御装置と、を備えることを特徴としている。
【発明の効果】
【００１２】
請求項１に記載の冷却ファン制御装置によれば、回転速度検出手段によって、冷却ファンの回転速度が検出され、基準速度記憶手段に、回転速度検出手段によって検出された初期状態の冷却ファンの回転速度である基準回転速度が予め格納されている。そして、回転速度検出手段によって検出された回転速度の、基準速度記憶手段に格納された基準回転速度に対する比率が予め設定された所定の閾値以下であるか否かが判定され、所定の閾値以下である場合に、冷却ファンが劣化していると判定されるため、簡素な構成で冷却ファンが劣化しているか否かを正確に判定することができる。
【００１３】
すなわち、粉塵等が回転部に堆積することによって冷却ファンの回転負荷が増大し、回転速度検出手段によって検出された回転速度の、初期状態の冷却ファンの回転速度である基準回転速度に対する比率が所定の閾値以下になった場合に、冷却ファンが劣化していると判定されるため、簡素な構成で冷却ファンが劣化しているか否かを正確に判定することができるのである。
【００１４】
請求項２に記載の冷却ファン制御装置によれば、回転速度検出手段によって、冷却ファンの羽部に対向して配設されたフォトセンサを介して冷却ファンの回転速度が検出されるため、更に簡素な構成で冷却ファンが劣化しているか否かを正確に判定することができる。
【００１５】
すなわち、冷却ファンの羽部に対向して配設されたフォトセンサを介して冷却ファンの回転速度が検出されるため、フォトセンサによって冷却ファンが１回転する度に、冷却ファンの羽部の枚数分の信号が検出され、該信号の単位時間（例えば、１秒）毎の発生個数をカウントすることによって回転速度を検出することができるので、更に簡素な構成で冷却ファンが劣化しているか否かを正確に判定することができるのである。
【００１６】
請求項３に記載の冷却ファン制御装置によれば、冷却ファンの羽部に対向して配設されたフォトセンサが透過型のフォトセンサであるため、簡素な構成で冷却ファンが劣化しているか否かを更に正確に判定することができる。
【００１７】
すなわち、冷却ファンの羽部に対向して配設されたフォトセンサが透過型のフォトセンサであるため、冷却ファンの羽部等に付着した粉塵等によってフォトセンサの検出精度が悪化することが少ないので、簡素な構成で冷却ファンが劣化しているか否かを更に正確に判定することができるのである。
【００１８】
請求項４に記載の冷却ファン制御装置によれば、閾値記憶手段に、予め設定された２以上の所定数の回転速度にそれぞれ対応する閾値が予め格納されており、基準速度記憶手段に、所定数の回転速度にそれぞれ対応する基準回転速度が予め格納されている。そして、冷却ファンの回転速度が、所定数の回転速度の中から、予め設定された所定のルールに則って選択された１の回転速度に設定され、回転速度検出手段によって検出された回転速度の、設定された回転速度に対応する基準速度記憶手段に格納された基準回転速度に対する比率が、設定された回転速度に対応する閾値記憶手段に格納された閾値以下である場合に、冷却ファンが劣化していると判定されるため、簡素な構成で冷却ファンが劣化しているか否かを更に正確に判定することができる。
【００１９】
すなわち、冷却ファンの回転速度が、所定数の回転速度の中から、予め設定された所定のルールに則って選択された１の回転速度に設定され、回転速度検出手段によって検出された回転速度の、設定された回転速度に対応する基準速度記憶手段に格納された基準回転速度に対する比率が、設定された回転速度に対応する閾値記憶手段に格納された閾値以下である場合に、冷却ファンが劣化していると判定されるため、冷却ファンの回転速度が、所定数の回転速度の中から、予め設定された所定のルールに則って選択された１の回転速度に設定される場合にも、設定された回転速度に対応する閾値に基づいて冷却ファンが劣化しているか否かが判定されるので、簡素な構成で冷却ファンが劣化しているか否かを更に正確に判定することができるのである。
【００２０】
つまり、設定された回転速度に対応する閾値に基づいて冷却ファンが劣化しているか否かが判定されるため、設定された回転速度が大きい程、粉塵等が回転部に堆積することによって冷却ファンの回転負荷が増大して回転速度が低下する割合が大きいので、簡素な構成で冷却ファンが劣化しているか否かを更に正確に判定することができるのである。
【００２１】
請求項５に記載の冷却ファン制御装置によれば、外部から視認可能に文字情報を表示するモニタと通信可能に接続され、冷却ファンが劣化していると判定された場合に、モニタに冷却ファンが劣化している旨の文字情報が表示されるため、ユーザがモニタに表示された冷却ファンが劣化している旨の文字情報を視認することによって、冷却ファンの劣化を知ることができるので、ユーザの利便性を向上することができる。
【００２２】
請求項６に記載の放送受信装置によれば、請求項１〜請求項５のいずれかに記載の冷却ファン制御装置を備えるため、簡素な構成で冷却ファンが劣化しているか否かを正確に判定することが可能な放送受信装置を実現することができる。
【発明を実施するための最良の形態】
【００２３】
以下に本発明の実施形態を、図面を参照しながら説明する。図１は、本発明に係るデジタル放送受信機の構成の一例を示すブロック図である。デジタル放送受信機１（放送受信装置に相当する）は、デジタルテレビジョン放送を受信し、後述するディスプレイ１８３及びスピーカ１６３にそれぞれ映像及び音声を出力するものであって、ＭＰＵ１１、ＲＡＭ１２、ＲＯＭ１３、操作部１４、受信部１５、音声出力部１６、ＭＰＥＧ２デコード部１７、画像出力部１８、及び、冷却ファン１９を備えている。
【００２４】
ＭＰＵ（Ｍｉｃｒｏ  Ｐｒｏｃｅｓｓｉｎｇ  Ｕｎｉｔ）１１（冷却ファン制御装置の一部に相当する）は、デジタル放送受信機１全体の動作を制御するものである。ＲＡＭ（Ｒａｎｄｏｍ  Ａｃｃｅｓｓ  Ｍｅｍｏｒｙ）１２（冷却ファン制御装置の一部に相当する）は、音声情報、動画像情報等の情報を読み書き自在に格納するものである。ＲＯＭ（Ｒｅａｄ  Ｏｎｌｙ  Ｍｅｍｏｒｙ）１３（冷却ファン制御装置の一部に相当する）は、ＭＰＵ１１を動作させる制御プログラム等を格納するものである。
【００２５】
操作部１４は、電源のＯＮ、ＯＦＦ操作、選局等の各種操作を受け付けるものである。受信部１５は、デジタルテレビジョン放送を受信して復調するものであって、アンテナ部１５１、チューナ部１５２、Ａ／Ｄ変換部１５３、復調部１５４、及び、ＴＳデマルチプレクサ１５５を備えている。
【００２６】
アンテナ部１５１は、デジタルテレビジョン放送波を受信するものである。チューナ部１５２は、アンテナ部１５１で受信されたデジタルテレビジョン放送波から、予め設定されたチャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を種別毎に（＝映像情報、音声情報、チャンネル情報等に）分離して出力するものである。
【００２７】
音声出力部１６は、受信部１５によって受信された１のデジタルテレビジョン放送に対応する音声を出力するものであって、Ｄ／Ａ変換部１６１、音声信号出力部１６２、及び、スピーカ１６３を備えている。Ｄ／Ａ変換部１６１は、ＴＳデマルチプレクサ１５５から出力された音声情報（＝デジタル情報）をアナログ信号に変換するものである。音声信号出力部１６２は、Ｄ／Ａ変換部１６１によってアナログ信号に変換された音声信号を出力するものである。スピーカ１６３は、音声信号出力部１６２から出力された音声信号に対応する音声を出力するものである。
【００２８】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５から出力された動画像情報を圧縮前の動画像情報に復号化するものである。
【００２９】
画像出力部１８は、ＭＰＥＧ２デコード部１７によって復号化された動画像情報を出力するものであって、ＮＴＳＣエンコード部１８１、映像信号出力部１８２、及び、ディスプレイ１８３を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された動画像情報をＮＴＳＣ方式のテレビジョン信号に変換するものである。映像信号出力部１８２は、ＮＴＳＣエンコード部１８１から出力されたＮＴＳＣ方式のテレビジョン信号をディスプレイ１８３に対して出力するものである。ディスプレイ１８３は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等からなり、映像信号出力部１８２から出力されたテレビジョン信号に対応する動画像を表示するものである。
【００３０】
冷却ファン１９は、ＭＰＵ１１からの指示に従って図略のモータによって駆動され、ディスプレイ１８３等からの発熱によって装置本体内部の温度が上昇することを防止するものである。
【００３１】
次に、デジタル放送受信機１が放送を受信する場合の動作について説明する。まず、送信されてきたデジタル放送波がアンテナ部１５１で受信される。操作部１４を介して選局操作が受け付けられた場合には、チューナ部１５２によって受信するトランスポンダ（Ｔｒａｎｓｐｏｎｄｅｒ）の切換が行われる。受信されたデジタル放送波は、Ａ／Ｄ変換部１５３によりデジタル情報に変換され、復調部１５４によって復調される。
【００３２】
なお、デジタル放送波は、送信側（送信局）からＴＳ（Ｔｒａｎｓｐｏｒｔ  Ｓｔｒｅａｍ）パケットとして送信される。このＴＳパケットは、動画像情報、音声情報、チャンネル情報等を含む制御情報からなり、これらの情報がＴＳデマルチプレクサ１５５によって、分離して出力され、ＲＡＭ１２に格納される。そして、ＲＡＭ１２から読み出された音声情報がＤ／Ａ変換部１６１によってアナログ信号に変換され、音声信号出力部１６２を介してスピーカ１６３から音声が出力される。
【００３３】
また、ＲＡＭ１２から読み出された動画像情報がＭＰＥＧ２デコード部１７によって圧縮前の動画像情報に復号化され、ＮＴＳＣエンコード部１８１によってＮＴＳＣ方式のテレビジョン信号に変換されて、映像信号出力部１８２を介してディスプレイ１８３に動画像が表示される。
【００３４】
図２は、デジタル放送受信機１における冷却ファン１９の配設位置の一例示す背面斜視図である。ディスプレイ１８３の背面側には、背面カバー２が配設されている。背面カバー２は、ディスプレイ１８３との空間の適所に、図１に示すＭＰＵ１１、ＲＡＭ１２、ＲＯＭ１３、操作部１４、受信部１５、音声出力部１６、ＭＰＥＧ２デコード部１７等（図示省略）を収納すると共に、冷却ファン１９を収納するものである。また、背面カバー２には、冷却ファン１９が収納されている位置に対向する位置には換気口２１が形成されている。
【００３５】
図３は、冷却ファン１９の構成の一例を示す外観図である。（ａ）は、正面図であり、（ｂ）は、側面図である。冷却ファン１９は、温度センサ１９１、フォトセンサ１９２、モータ１９３、及び、羽部１９４を備えている。温度センサ１９１（回転速度設定手段の一部に相当する）は、サーミスタ等からなり、冷却ファン１９近傍の大気温度を検出するものである。フォトセンサ１９２（回転速度検出手段の一部に相当する）は、冷却ファン１９のフレーム（図示省略）の下部に配設された透過型フォトセンサ等からなり、羽部１９４の回転速度を検出するものである。
【００３６】
すなわち、フォトセンサ１９２は、羽部１９４が１回転する度に、羽部１９４に形成された羽の枚数（ここでは、６枚）に応じたパルス信号（ここでは、６個）を出力するものである。モータ１９３は、ＭＰＵ１１（後述する回転速度設定部１１１）によって設定された回転速度で、羽部１９４を回転駆動するものである。羽部１９４は、ここでは、６枚の羽を備え、モータ１９３によって回転駆動されて、デジタル放送受信機１内部の大気を排出するものである。
【００３７】
図４は、本発明に係る冷却ファン制御装置の構成の一例を示すブロック図である。図１に示すデジタル放送受信機１のＭＰＵ１１は、機能的に、回転速度設定部１１１、回転速度検出部１１２、劣化判定部１１３、及び、劣化表示部１１４を備え、ＲＡＭ１２は、機能的に、基準速度記憶部１２１、及び、閾値記憶部１２２を備えている。
【００３８】
ここでは、ＭＰＵ１１が、図１に示すＲＯＭ１３等に予め格納された制御プログラムを読み出して実行することにより、回転速度設定部１１１、回転速度検出部１１２、劣化判定部１１３、劣化表示部１１４等の機能部として機能すると共に、ＲＡＭ１２を、基準速度記憶部１２１、閾値記憶部１２２等の機能部として機能させるものである。
【００３９】
また、ＲＡＭ１２、図１に示すＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、半導体メモリ等である。
【００４０】
基準速度記憶部１２１（基準速度記憶手段に相当する）は、回転速度検出部１１２によって検出された初期状態（例えば、デジタル放送受信機１の出荷時、又は、製造完成時）の冷却ファン１９（＝図３に示す羽部１９４）の回転速度である基準回転速度を予め格納するものである。また、基準速度記憶部１２１は、回転速度設定部１１１によって設定される予め設定された所定数（例えば、３個）の回転速度ＲＡ（ＲＡ１、ＲＡ２、ＲＡ３）にそれぞれ対応する基準回転速度Ｒ０（Ｒ０１、Ｒ０２、Ｒ０３）を予め格納するものである。
【００４１】
すなわち、基準速度記憶部１２１に格納される基準回転速度Ｒ０（Ｒ０１、Ｒ０２、Ｒ０３）は、例えば、デジタル放送受信機１の出荷時（又は、製造完成時）において、回転速度設定部１１１によって設定される予め設定された所定数（例えば、３個）の回転速度ＲＡ（ＲＡ１、ＲＡ２、ＲＡ３）にそれぞれ対応する、回転速度検出部１１２によってフォトセンサ１９２を介して検出された冷却ファン１９（＝図３に示す羽部１９４）の回転速度である。なお、基準速度記憶部１２１に格納された基準回転速度Ｒ０（Ｒ０１、Ｒ０２、Ｒ０３）は、劣化判定部１１３によって読み出される。
【００４２】
閾値記憶部１２２（閾値記憶手段に相当する）は、回転速度設定部１１１によって設定される予め設定された所定数（ここでは、３個）の回転速度ＲＡ（ＲＡ１、ＲＡ２、ＲＡ３）にそれぞれ対応する閾値ＳＨ（ＳＨ１、ＳＨ２、ＳＨ３）を格納するものである。なお、閾値記憶部１２２に格納された閾値ＳＨ（ＳＨ１、ＳＨ２、ＳＨ３）は、劣化判定部１１３によって読み出される。
【００４３】
図５は、閾値記憶部１２２に格納された閾値ＳＨの一例を示すグラフである。図の横軸は、回転速度設定部１１１によって設定される回転速度ＲＡ（ＲＡ１、ＲＡ２、ＲＡ３）であって、縦軸は、閾値記憶部１２２に格納された閾値ＳＨ（ＳＨ１、ＳＨ２、ＳＨ３）である。ここでは、回転速度設定部１１１によって設定される回転速度ＲＡ（ＲＡ１、ＲＡ２、ＲＡ３）が大きい程、閾値ＳＨ（ＳＨ１、ＳＨ２、ＳＨ３）が小さい値に設定されている。ここでは、閾値ＳＨ１が、７０％に設定され、閾値ＳＨ２が、６５％に設定され、閾値ＳＨ３が、６５％に設定されている。
【００４４】
すなわち、設定された回転速度ＲＡ（ＲＡ１、ＲＡ２、ＲＡ３）が大きい程、粉塵等が回転部に堆積することによって冷却ファン１９（＝図３に示す羽部１９４）の回転負荷が増大して回転速度が低下する割合が大きいので、回転速度設定部１１１によって設定される回転速度ＲＡ（ＲＡ１、ＲＡ２、ＲＡ３）が大きい程、閾値ＳＨ（ＳＨ１、ＳＨ２、ＳＨ３）が小さい値に設定されているのである。
【００４５】
再び、図４を用いて、ＭＰＵ１１の機能構成について説明する。回転速度設定部１１１（回転速度設定手段の一部に相当する）は、冷却ファン１９（＝図３に示す羽部１９４）の回転速度を、予め設定された２以上の所定数（ここでは、３個）の回転速度ＲＡ（ＲＡ１、ＲＡ２、ＲＡ３）の中から、予め設定された所定のルールに則って選択された１の回転速度に設定するものである。
【００４６】
具体的には、回転速度設定部１１１は、冷却ファン１９（＝図３に示す羽部１９４）の回転速度を、予め設定された回転速度ＲＡ（ＲＡ１、ＲＡ２、ＲＡ３）の中から、温度センサ１９１によって検出された温度に基づいて、１の回転速度に設定し、モータ１９３に対して指示するものである。例えば、回転速度設定部１１１は、温度センサ１９１によって検出された温度が３０度未満である場合に、回転速度ＲＡ１に設定し、温度センサ１９１によって検出された温度が３０度以上４０度未満である場合に、回転速度ＲＡ２に設定し、温度センサ１９１によって検出された温度が４０度以上である場合に、回転速度ＲＡ３に設定するものである。
【００４７】
回転速度検出部１１２（回転速度検出手段の一部に相当する）は、冷却ファン１９の羽部１９４に対向して配設されたフォトセンサ１９２を介して冷却ファン１９の回転速度ＲＢを検出するものである。すなわち、図３に示すように、羽部１９４が６枚の羽を有する場合には、１回転当たり６個の信号がフォトセンサ１９２から受信されるため、回転速度検出部１１２は、例えば１秒間に受信されたフォトセンサ１９２からの信号を６で除した商を求めることによって回転速度ＲＢ（ｒｐｓ）を求めるものである。
【００４８】
劣化判定部１１３（劣化判定手段に相当する）は、回転速度検出部１１２によって検出された回転速度ＲＢの、基準速度記憶部１２１に格納された基準回転速度Ｒ０に対する比率Ｒが予め設定された所定の閾値ＳＨ以下であるか否かを判定し、所定の閾値ＳＨ以下である場合に、冷却ファン１９が劣化していると判定するものである。
【００４９】
具体的には、劣化判定部１１３は、回転速度検出部１１２によって検出された回転速度ＲＢの、基準速度記憶部１２１に格納され、回転速度設定部１１１によって設定された回転速度ＲＡに対応する基準回転速度Ｒ０に対する比率Ｒが、閾値記憶部１２２に格納され、回転速度設定部１１１によって設定された回転速度ＲＡに対応する閾値ＳＨ以下である場合に、冷却ファン１９が劣化していると判定するものである。
【００５０】
すなわち、例えば、回転速度設定部１１１によって回転速度ＲＡ１が設定された場合には、劣化判定部１１３は、回転速度検出部１１２によって検出された回転速度ＲＢの、基準回転速度Ｒ０１に対する比率Ｒ（＝ＲＢ／Ｒ０１）が閾値ＳＨ１（ここでは、７０％）以下である場合に、冷却ファン１９が劣化していると判定する。また、回転速度設定部１１１によって回転速度ＲＡ２が設定された場合には、劣化判定部１１３は、回転速度検出部１１２によって検出された回転速度ＲＢの、基準回転速度Ｒ０２に対する比率Ｒ（＝ＲＢ／Ｒ０２）が閾値ＳＨ２（ここでは、６５％）以下である場合に、冷却ファン１９が劣化していると判定する。更に、回転速度設定部１１１によって回転速度ＲＡ３が設定された場合には、劣化判定部１１３は、回転速度検出部１１２によって検出された回転速度ＲＢの、基準回転速度Ｒ０３に対する比率Ｒ（＝ＲＢ／Ｒ０３）が閾値ＳＨ３（ここでは、６０％）以下である場合に、冷却ファン１９が劣化していると判定する。
【００５１】
劣化表示部１１４（劣化表示手段に相当する）は、劣化判定部１１３によって、冷却ファン１９が劣化していると判定された場合に、ディスプレイ１８３に冷却ファン１９が劣化している旨の文字情報（例えば、「冷却ファンを交換してください」との文字情報）を、ＯＳＤ（Ｏｎ−Ｓｃｒｅｅｎ  Ｄｉｓｐｌａｙ）等により表示するものである。
【００５２】
図６、図７は、デジタル放送受信機１（主にＭＰＵ１１）の動作の一例を示すフローチャートである。なお、ここでは、便宜上、基準速度記憶部１２１に、基準回転速度Ｒ０（Ｒ０１、Ｒ０２、Ｒ０３）が予め格納され、閾値記憶部１２２に、閾値ＳＨ（ＳＨ１、ＳＨ２、ＳＨ３）が予め格納されている場合について説明する。まず、図６に示すように、回転速度設定部１１１によって、回転速度ＲＡ（ＲＡ１、ＲＡ２、ＲＡ３）が設定される（Ｓ１０１）。そして、回転速度設定部１１１によって、モータ１９３がステップＳ１０１において設定された回転速度ＲＡ（ＲＡ１、ＲＡ２、ＲＡ３）で駆動される（Ｓ１０３）。
【００５３】
次いで、回転速度検出部１１２によって、冷却ファン１９の回転速度ＲＢが検出される（Ｓ１０５）。次に、劣化判定部１１３によって、ステップＳ１０１において設定された回転速度ＲＡ（ＲＡ１、ＲＡ２、ＲＡ３）に対応する基準回転速度Ｒ０（Ｒ０１、Ｒ０２、Ｒ０３）が基準速度記憶部１２１から読み出される（Ｓ１０７）。そして、劣化判定部１１３によって、ステップＳ１０５において検出された回転速度ＲＢを、ステップＳ１０７において読み出された基準回転速度Ｒ０（Ｒ０１、Ｒ０２、Ｒ０３）で除した商である比率Ｒ（＝ＲＢ／Ｒ０）が算出される（Ｓ１０９）。次いで、劣化判定部１１３によって、ステップＳ１０１において設定された回転速度ＲＡ（ＲＡ１、ＲＡ２、ＲＡ３）に対応する閾値ＳＨ（ＳＨ１、ＳＨ２、ＳＨ３）が閾値記憶部１２２から読み出される（Ｓ１１１）。
【００５４】
次に、図７に示すように、劣化判定部１１３によって、ステップＳ１０９において算出された比率Ｒが、ステップＳ１１１において読み出された閾値ＳＨ以下であるか否かの判定が行われる（Ｓ１１３）。閾値ＳＨ以下ではないと判定された場合（Ｓ１１３でＮＯ）には、劣化判定部１１３によって、冷却ファン１９は劣化していないと判定され（Ｓ１１５）、処理がリターンされる。閾値ＳＨ以下ではあると判定された場合（Ｓ１１３でＹＥＳ）には、劣化判定部１１３によって、冷却ファン１９が劣化していると判定される（Ｓ１１７）。そして、劣化表示部１１４によって、ディスプレイ１８３に冷却ファン１９が劣化している旨の文字情報が表示され（Ｓ１１９）、処理がリターンされる。
【００５５】
このようにして、回転速度検出部１１２によって、冷却ファン１９の回転速度が検出され、基準速度記憶部１２１に、回転速度検出部１１２によって検出された初期状態の冷却ファンの回転速度である基準回転速度Ｒ０が予め格納されている。そして、回転速度検出部１１２によって検出された回転速度ＲＢの、基準速度記憶部１２１に格納された基準回転速度Ｒ０に対する比率Ｒ（＝ＲＢ／Ｒ０）が予め設定された所定の閾値ＳＨ以下であるか否かが判定され、所定の閾値ＳＨ以下である場合に、冷却ファン１９が劣化していると判定されるため、簡素な構成で冷却ファン１９が劣化しているか否かを正確に判定することができる。
【００５６】
すなわち、粉塵等がベアリング等の回転部に堆積することによって冷却ファン１９の回転負荷が増大し、回転速度検出部１１２によって検出された回転速度ＲＢの、初期状態（例えば、デジタル放送受信機１の出荷時、又は、製造完成時）の冷却ファン１９の回転速度である基準回転速度Ｒ０に対する比率Ｒ（＝ＲＢ／Ｒ０）が所定の閾値ＳＨ以下になった場合に、冷却ファン１９が劣化していると判定されるため、簡素な構成で冷却ファン１９が劣化しているか否かを正確に判定することができるのである。
【００５７】
また、回転速度検出部１１２によって、冷却ファン１９の羽部１９４に対向して配設されたフォトセンサ１９２（図３参照）を介して冷却ファン１９の回転速度ＲＢが検出されるため、更に簡素な構成で冷却ファン１９が劣化しているか否かを正確に判定することができる。
【００５８】
すなわち、冷却ファン１９の羽部１９４に対向して配設されたフォトセンサ１９２（図３参照）を介して冷却ファン１９の回転速度ＲＢが検出されるため、フォトセンサ１９２によって冷却ファン１９が１回転する度に、冷却ファン１９の羽部１９４の枚数分（ここでは、６枚分）の信号が検出され、この信号の単位時間（例えば、１秒）毎の発生個数をカウントすることによって回転速度ＲＢを検出することができるので、更に簡素な構成で冷却ファン１９が劣化しているか否かを正確に判定することができるのである。
【００５９】
更に、冷却ファン１９の羽部１９４に対向して配設されたフォトセンサ１９２が透過型のフォトセンサであるため、簡素な構成で冷却ファン１９が劣化しているか否かを更に正確に判定することができる。
【００６０】
すなわち、冷却ファン１９の羽部１９４に対向して配設されたフォトセンサ１９２が透過型のフォトセンサであるため、冷却ファン１９の羽部１９４等に付着した粉塵等によってフォトセンサ１９２の検出精度が悪化することが少ないので、簡素な構成で冷却ファン１９が劣化しているか否かを更に正確に判定することができるのである。
【００６１】
加えて、閾値記憶部１２２に、予め設定された２以上の所定数（ここでは、３個）の回転速度ＲＡ（ＲＡ１、ＲＡ２、ＲＡ３）にそれぞれ対応する閾値ＳＨ（ＳＨ１、ＳＨ２、ＳＨ３）が予め格納されており、基準速度記憶部１２１に、所定数（ここでは、３個）の回転速度ＲＡ（ＲＡ１、ＲＡ２、ＲＡ３）にそれぞれ対応する基準回転速度Ｒ０（Ｒ０１、Ｒ０２、Ｒ０３）が予め格納されている。そして、冷却ファン１９の回転速度ＲＢが、所定数（ここでは、３個）の回転速度ＲＡ（ＲＡ１、ＲＡ２、ＲＡ３）の中から、予め設定された所定のルールに則って選択された１の回転速度ＲＡに設定され、回転速度検出部１１２によって検出された回転速度ＲＢの、設定された回転速度ＲＡに対応する基準速度記憶部１２１に格納された基準回転速度Ｒ０に対する比率Ｒ（＝ＲＢ／Ｒ０）が、設定された回転速度ＲＡに対応する閾値記憶部１２２に格納された閾値ＳＨ以下である場合に、冷却ファン１９が劣化していると判定されるため、簡素な構成で冷却ファン１９が劣化しているか否かを更に正確に判定することができる。
【００６２】
すなわち、冷却ファン１９の回転速度が、所定数（ここでは、３個）の回転速度ＲＡ（ＲＡ１、ＲＡ２、ＲＡ３）の中から、予め設定された所定のルールに則って選択された１の回転速度ＲＡに設定され、回転速度検出部１１２によって検出された回転速度ＲＢの、設定された回転速度ＲＡに対応する基準速度記憶部１２１に格納された基準回転速度Ｒ０に対する比率Ｒ（＝ＲＢ／Ｒ０）が、設定された回転速度ＲＡに対応する閾値記憶部１２２に格納された閾値ＳＨ以下である場合に、冷却ファン１９が劣化していると判定されるため、冷却ファン１９の回転速度が、所定数（ここでは、３個）の回転速度ＲＡ（ＲＡ１、ＲＡ２、ＲＡ３）の中から、予め設定された所定のルールに則って選択された１の回転速度ＲＡに設定される場合にも、設定された回転速度ＲＡに対応する閾値ＳＨに基づいて冷却ファン１９が劣化しているか否かが判定されるので、簡素な構成で冷却ファン１９が劣化しているか否かを更に正確に判定することができるのである。
【００６３】
つまり、設定された回転速度ＲＡに対応する閾値ＳＨに基づいて冷却ファン１９が劣化しているか否かが判定されるため、設定された回転速度ＲＡが大きい程、粉塵等がベアリング等の回転部に堆積することによって冷却ファン１９の回転負荷が増大して回転速度が低下する割合が大きいので、簡素な構成で冷却ファン１９が劣化しているか否かを更に正確に判定することができるのである。
【００６４】
また、外部から視認可能に文字情報を表示するディスプレイ１８３と通信可能に接続され、冷却ファン１９が劣化していると判定された場合に、ディスプレイ１８３に冷却ファン１９が劣化している旨の文字情報が表示されるため、ユーザがディスプレイ１８３に表示された冷却ファン１９が劣化している旨の文字情報を視認することによって、冷却ファン１９の劣化を知ることができるので、ユーザの利便性を向上することができる。
【００６５】
なお、本発明は、以下の形態にも適用可能である。
（Ａ）本実施形態では、冷却ファン１９が、デジタル放送受信機１に配設された冷却ファン１９である場合について説明したが、冷却ファン１９がその他の装置に配設されている形態でもよい。すなわち、冷却ファン制御装置が、デジタル放送受信機１に配設されている場合について説明したが、冷却ファン制御装置が、他の電子機器（例えば、ＤＶＤレコーダ等）に配設されている形態でもよい。
【００６６】
（Ｂ）本実施形態では、冷却ファン１９が、複数の回転速度に設定される場合について説明したが、１の回転速度に設定される（＝設定される回転速度が固定である）形態でもよい。
【００６７】
（Ｃ）本実施形態では、ＭＰＵ１１が、回転速度設定部１１１、回転速度検出部１１２、劣化判定部１１３、劣化表示部１１４等の機能部を備える場合について説明したが、回転速度設定部１１１、回転速度検出部１１２、劣化判定部１１３、及び、劣化表示部１１４の内、少なくとも１の機能部が、回路等のハードウェアによって実現されている形態でもよい。
【図面の簡単な説明】
【００６８】
【図１】は、本発明に係るデジタル放送受信機の構成の一例を示すブロック図である。
【図２】は、デジタル放送受信機における冷却ファンの配設位置の一例示す背面斜視図である。
【図３】は、冷却ファン１９の構成の一例を示す外観図である。
【図４】は、本発明に係る冷却ファン制御装置の構成の一例を示すブロック図である。
【図５】は、閾値記憶部に格納された閾値ＳＨの一例を示すグラフである。
【図６】は、デジタル放送受信機（主にＭＰＵ）の動作の一例を示すフローチャート（前半部）である。
【図７】は、デジタル放送受信機（主にＭＰＵ）の動作の一例を示すフローチャート（後半部）である。
【符号の説明】
【００６９】
１    デジタル放送受信機（放送受信装置）
１１    ＭＰＵ
１１１    回転速度設定部（回転速度設定手段の一部）
１１２    回転速度検出部（回転速度検出手段の一部）
１１３    劣化判定部（劣化判定手段）
１１４    劣化表示部（劣化表示手段）
１２    ＲＡＭ
１２１    基準速度記憶部（基準速度記憶手段）
１２２    閾値記憶部（閾値記憶手段）
１５    受信部
１８    画像出力部
１８３    ディスプレイ（モニタ）
１９    冷却ファン
１９１    温度センサ（回転速度設定手段の一部）
１９２    フォトセンサ（回転速度検出手段の一部）
１９３    モータ
１９４    羽部
【図１】
2008311271.tif 000003
【図２】
2008311271.tif 000004
【図３】
2008311271.tif 000005
【図４】
2008311271.tif 000006
【図５】
2008311271.tif 000007
【図６】
2008311271.tif 000008
【図７】
2008311271.tif 000009